(57)【特許請求の範囲】
【請求項１】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記送風機吹出口及び前記接続開口部は、
前記送風機が前記筐体から引き出される方向に向かって広がるテーパ形状に形成され、
前記送風機吹出口は、
前記接続開口部の内側に収まり、前記接続開口部と接続される、空気調和装置の室内機。
【請求項２】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記接続開口部の端面は、
前記筐体の内部に前記送風機が押し込まれる方向を向いた側に位置する接続開口部押し込み側端面と、
前記筐体から前記送風機が引き出される方向を向いた側に位置する接続開口部引き出し側端面と、
前記送風機が前記筐体から引き出される方向に沿った２つの接続開口部側部端面と、を備え、
前記送風機吹出口の端面は、
前記筐体の内部に前記送風機が押し込まれる方向を向いた側に位置する吹出口押し込み側端面と、
前記筐体から前記送風機が引き出される方向を向いた側に位置する吹出口引き出し側端面と、
前記送風機が前記筐体から引き出される方向に沿った２つの吹出口側部端面と、を備え、
前記接続開口部引き出し側端面は、
前記吹出口押し込み側端面及び前記吹出口側部端面よりも上方に位置し、前記吹出口引き出し側端面よりも下方に位置し、
前記接続開口部押し込み側端面及び前記接続開口部側部端面は、
前記吹出口押し込み側端面及び前記吹出口側部端面よりも下方に位置する、空気調和装置の室内機。
【請求項３】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記接続開口部の端面は、
前記筐体の内部に前記送風機が押し込まれる方向を向いた側に位置する接続開口部押し込み側端面と、
前記筐体から前記送風機が引き出される方向を向いた側に位置する接続開口部引き出し側端面と、
前記送風機が前記筐体から引き出される方向に沿った２つの接続開口部側部端面と、を備え、
前記送風機吹出口の端面は、
前記筐体の内部に前記送風機が押し込まれる方向を向いた側に位置する吹出口押し込み側端面と、
前記筐体から前記送風機が引き出される方向を向いた側に位置する吹出口引き出し側端面と、
前記送風機が前記筐体から引き出される方向に沿った２つの吹出口側部端面と、を備え、
前記接続開口部引き出し側端面は、
前記吹出口押し込み側端面及び前記吹出口側部端面よりも上方に位置する、空気調和装置の室内機。
【請求項４】
前記接続開口部引き出し側端面は、
前記吹出口引き出し側端面よりも下方に位置する、請求項３に記載の空気調和装置の室内機。
【請求項５】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記接続開口部の端面は、
前記筐体の内部に前記送風機が押し込まれる方向を向いた側に位置する接続開口部押し込み側端面と、
前記筐体から前記送風機が引き出される方向を向いた側に位置する接続開口部引き出し側端面と、
前記送風機が前記筐体から引き出される方向に沿った２つの接続開口部側部端面と、を備え、
前記送風機吹出口の端面は、
前記筐体の内部に前記送風機が押し込まれる方向を向いた側に位置する吹出口押し込み側端面と、
前記筐体から前記送風機が引き出される方向を向いた側に位置する吹出口引き出し側端面と、
前記送風機が前記筐体から引き出される方向に沿った２つの吹出口側部端面と、を備え、
前記接続開口部引き出し側端面は、
前記吹出口引き出し側端面よりも下方に位置する、空気調和装置の室内機。
【請求項６】
前記接続開口部押し込み側端面及び前記接続開口部側部端面は、
前記吹出口押し込み側端面及び前記吹出口側部端面よりも下方に位置する、請求項５に記載の空気調和装置の室内機。
【請求項７】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記接続開口部の端面は、
前記筐体の内部に前記送風機が押し込まれる方向を向いた側に位置する接続開口部押し込み側端面と、
前記筐体から前記送風機が引き出される方向を向いた側に位置する接続開口部引き出し側端面と、
前記送風機が前記筐体から引き出される方向に沿った２つの接続開口部側部端面と、を備え、
前記送風機吹出口の端面は、
前記筐体の内部に前記送風機が押し込まれる方向を向いた側に位置する吹出口押し込み側端面と、
前記筐体から前記送風機が引き出される方向を向いた側に位置する吹出口引き出し側端面と、
前記送風機が前記筐体から引き出される方向に沿った２つの吹出口側部端面と、を備え、
前記接続開口部押し込み側端面及び前記接続開口部側部端面は、
前記吹出口押し込み側端面及び前記吹出口側部端面よりも下方に位置する、空気調和装置の室内機。
【請求項８】
前記接続開口部押し込み側端面及び前記接続開口部側部端面は、
前記筐体の下方に向かって広がるテーパ面である、請求項２〜７の何れか１項に記載の空気調和装置の室内機。
【請求項９】
前記吹出口引き出し側端面は、
前記筐体の上方に向かって広がるテーパ面である、請求項２〜８の何れか１項に記載の空気調和装置の室内機。
【請求項１０】
前記送風機吹出口及び前記接続開口部は、
前記送風機が前記筐体から引き出される方向に向かって広がるテーパ形状に形成され、
前記送風機吹出口は、
前記接続開口部の内側に収まり、前記接続開口部と接続される、請求項２〜９の何れか１項に記載の空気調和装置の室内機。
【請求項１１】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記接続開口部及び前記送風機吹出口のうち一方に上下方向に移動自在に設置された接続部材を更に備え、
前記接続部材は、
前記接続開口部及び前記送風機吹出口のうち他方の端面と接触する接続面とを備え、
前記筐体から前記送風機が引き出された状態において、前記接続開口部及び前記送風機吹出口のうち他方に向かって突出する案内部を備え、
前記接続開口部及び前記送風機吹出口のうち他方の端面は、
前記筐体の上下方向において、前記接続面と前記案内部の先端との間に位置し、
前記接続面と前記案内部とは、
連続して接続した面を形成する、空気調和装置の室内機。
【請求項１２】
上部に開口が設けられた筐体と、
前記筐体の内部に設置された送風機及び熱交換器と、
前記送風機と前記開口とを連結するダクトと、を備え、
前記送風機は、
吸入した空気を吹き出す送風機吹出口を有し、
前記筐体の前後方向に前記筐体の外部に引き出し自在に設置され、
前記ダクトは、
前記送風機吹出口と接続する接続開口部を有し、
前記送風機吹出口と前記接続開口部との間には、
隙間を塞ぐシール部材を有し、
前記接続開口部及び前記送風機吹出口のうち一方に上下方向に移動自在に設置された接続部材を更に備え、
前記接続部材は、
前記接続開口部及び前記送風機吹出口のうち他方の端面と接触する接続面とを備え、
前記接続開口部及び前記送風機吹出口のうち他方は、
前記接続開口部及び前記送風機吹出口のうち一方に向かって突出する案内部を備え、
前記接続面は、
前記案内部の先端と前記接続開口部及び前記送風機吹出口のうち他方の端面との間に位置し、
前記接続開口部及び前記送風機吹出口のうち他方の端面と前記案内部とは、
連続して接続した面を形成する、空気調和装置の室内機。
【請求項１３】
前記シール部材は、
前記接続部材において前記接続面の裏側にあるシール部材設置面に位置し、
前記送風機が前記筐体の内部に押し込まれた状態において圧縮され、前記接続開口部の端面又は前記送風機吹出口の端面と前記接続部材との間の隙間を塞ぐ、請求項１１又は１２に記載の空気調和装置の室内機。
【発明の詳細な説明】
【技術分野】
【０００１】
本発明は、空気調和装置の室内機に関し、特に送風機台の構造及び送風機とダクトの連結構造に関する。
【背景技術】
【０００２】
従来の空気調和装置の室内機は、筐体の内部に熱交換器、ファン、ドレンパン等の機器を備える。空気調和装置の室内機は、仕様変更等により、内部の部品交換をする場合がある。または、室内機のメンテナンスのため、内部の部品を取り外し、洗浄等を行ってから再び取り付ける、といった作業が行われる。そのため、空気調和装置の室内機は、部品交換及びメンテナンスのための空間を確保すべく、筐体を大きくする、または筐体の外装面に開口を設け、その開口を着脱自在なパネルにより塞ぐ、といった構造を備える。【０００３】
例えば、特許文献１に開示されている空気調和装置の室内機によれば、筐体の天板の下面に送風機が取り付けられ、送風機は、送風機の下部に配置されている熱交換器からの空気を、天板に設けられた吹出口から吹き出している。天板は、筐体の前後方向に出し入れが自在になっており、天板を筐体前方に引き出すことにより送風機を筐体前方に移動させることができる。そして、送風機は、送風ファン及び送風ファンを駆動するモータから構成され、送風ファンとモータとの間はプーリ及びベルトを介して接続されている。このように構成されることにより、送風機は、モータの交換等の作業が容易になっている。
【先行技術文献】
【特許文献】
【０００４】
【特許文献１】特開２０１０−１１７１０５号公報
【発明の概要】
【発明が解決しようとする課題】
【０００５】
しかし、特許文献１に開示されている空気調和装置の室内機においては、送風機が天板の下面に取り付けられていることから、重い機器が空気調和装置の室内機の上部にとりつけられており室内機の重心がアンバランスとなるという課題があった。また、重い機器である送風機が天板の下面に配置されていることにより、送風機を構成する送風ファン又はモータの着脱時に作業が不安定となり、部品の脱落等のおそれがあり、着脱作業に注意が必要であるという課題があった。さらに、送風機が送風ファンとモータとの間をプーリ及びベルトを介して接続している構成の場合、送風機を構成する部品点数が多くなり、コストがかかる。そのコストを抑えるために直接送風ファンとモータとを接続している構成の送風機を採用した場合、天板の下面に取り付けられた送風機は、送風ファン及びモータを一体で室内機から着脱する必要があり、着脱作業がさらに困難になる、という課題があった。【０００６】
さらに、空気調和装置の室内機において、熱交換の容量を大きくするには、筐体の背面側の面のほぼ全域にわたって空気の吸入口を設置し、その吸入口に沿って熱交換器を配置する場合がある。その場合、熱交換器に空気が通過する方向に対し垂直な面において、送風ファンが偏った位置にあると、熱交換器に対し空気が偏って通過する。特許文献１に開示されている空気調和装置の室内機においては、送風機が天板の下面に配置されているため、熱交換器を通過する風量が天板側に偏り、熱交換の効率が下がるという課題があった。【０００７】
本発明は、上記のような課題を解決するためになされたもので、送風機を天板から離れた下方に設置し、かつ送風機を手前に引き出してメンテナンスを容易に行える構成を有する空気調和装置の室内機を提供することを目的とする。
【課題を解決するための手段】
【０００８】
本発明に係る空気調和装置の室内機は、上部に開口が設けられた筐体と、前記筐体の内部に設置された送風機及び熱交換器と、前記送風機と前記開口とを連結するダクトと、を備え、前記送風機は、吸入した空気を吹き出す送風機吹出口を有し、前記筐体の前後方向に前記筐体の外部に引き出し自在に設置され、前記ダクトは、前記送風機吹出口と接続する接続開口部を有し、前記送風機吹出口と前記接続開口部との間には、隙間を塞ぐシール部材を有し、前記送風機吹出口及び前記接続開口部は、前記送風機が前記筐体から引き出される方向に向かって広がるテーパ形状に形成され、前記送風機吹出口は、前記接続開口部の内側に収まり、前記接続開口部と接続される。
【発明の効果】
【０００９】
本発明によれば、空気調和装置の室内機は、上記構成を備えることにより、開口が設置されている天板から下方に離れた位置に送風機を設置することが可能になる。そして、送風機を筐体から引き出し自在に設置しながら、ダクトと送風機との接続部にある隙間を塞ぐことができる。そのため、空気調和装置の室内機は、送風機からの吹出風が筐体内部に漏れない構造で、かつ送風機のメンテナンスの作業性を向上させることができる。
【図面の簡単な説明】
【００１０】
【図１】本発明の実施の形態１における空気調和装置の室内機の斜視図である。
【図２】図１の空気調和装置の室内機において、送風機を前面側に引き出した状態の斜視図である。
【図３】空気調和装置の室内機のダクト及び送風機の垂直方向断面を表した説明図である。
【図４】図３（ａ）の送風機吹出口と接続開口部との接続部分の拡大図である。
【図５】図３（ｂ）の送風機吹出口と接続開口部との接続部分の拡大図である。
【図６】図５の送風機吹出口と接続開口部との接続部分の水平方向断面を示す模式図である。
【図７】本発明の実施の形態２に係る空気調和装置の室内機のダクト及び送風機の垂直方向断面を表した説明図である。
【図８】本発明の実施の形態２に係る空気調和装置の室内機のダクトを筐体の前面側から見た図である。
【図９】実施の形態２の変形例に係る空気調和装置の室内機のダクト及び送風機の垂直方向断面を表した説明図である。
【発明を実施するための形態】
【００１１】
以下、図面に基づいて本発明の実施の形態について説明する。各図において、同一の符号を付した機器等については、同一の又はこれに相当する機器等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１２】
実施の形態１.
＜室内機１００の構成＞
図１は、本発明の実施の形態１における空気調和装置の室内機１００の斜視図である。図１において、空気調和装置の室内機１００の前面側の外観を構成する前面パネルは、省略して表示されている。図１に示されているように、室内機１００は、略直方体形状の筐体５０を備えている。筐体５０は、室内機１００の正面側に前面パネル（図示無し）を備える。筐体５０の前面パネルに対向する面には、背面パネル１０を備える。背面パネル１０には、筐体５０内に空気を取り込む吸入口が設けられており、吸入口の全域にわたって熱交換器１１が設置されている。吸入口から取り込まれた空気は熱交換器１１を通過する様に構成されている。筐体５０の底部には台枠５が配置され、台枠５から支柱３が垂直上方に向かって立設されている。台枠５の四隅に立設された支柱３により、右側面パネル６、左側面パネル７、天面パネル８、背面パネル１０、前面パネル、及び内蔵部品が支持されている。また、台枠５にはドレンパン４が配置されている。
【００１３】
筐体５０の天面を構成する天面パネル８には開口９が配置されている。筐体５０において、台枠５から上方に送風機台２が設置されている。送風機台２は、台枠５に平行になっており、筐体５０の前面に引き出し自在に構成されている。送風機台２の上には、送風機２０が設置されている。送風機２０は、モータ１２とファンケース１３の内部に配置されたファン１４とを一体に連結して構成されている。ファン１４は、熱交換器１１の中央部の前面側に配置されている。このように構成されることにより、筐体５０の吸入口から内部に入った空気が熱交換器１１の中央部を中心に均等に通過するようになる。なお、実施の形態１において、モータ１２とファン１４とは一体に連結され送風機２０が構成されているが、これだけに限定されるものではない。例えば、モータ１２とファン１４とがプーリとベルトとにより接続されていてもよい。
【００１４】
図２は、図１の空気調和装置の室内機１００において、送風機２０を前面側に引き出した状態の斜視図である。また、図２において、右側面パネル６、左側面パネル７、及び天面パネル８は取り外されている。送風機台２は、筐体５０の前面側に引き出されているため、送風機台２上にある送風機２０は、筐体５０の外部に位置している。送風機台２は、例えば筐体５０に設置されたレールなどにより前後に移動自在になっている。送風機２０のファンケース１３の上部に形成されている送風機吹出口２１は、ダクト１５の下部に形成されている接続開口部１６から外れた状態になっている。
【００１５】
図３は、空気調和装置の室内機１００のダクト１５及び送風機２０の垂直方向断面を表した説明図である。図３（ａ）は、送風機２０が筐体５０内にある状態であり、図３（ｂ）は、送風機２０が筐体５０の外部に引き出された状態である。ダクト１５と送風機２０のファンケース１３とは、接続され、ファン１４から送り出される空気が通る風路を形成している。ダクト１５を通った空気は、筐体５０の天面パネル８に開けられた開口９から吹き出す。送風機吹出口２１と接続開口部１６とは、分離自在に組み合わされており、送風機台２を前面側に引き出すことによりダクト１５とファンケース１３とが分離するようになっている。
【００１６】
図４は、図３（ａ）の送風機吹出口２１と接続開口部１６との接続部分の拡大図である。図５は、図３（ｂ）の送風機吹出口２１と接続開口部１６との接続部分の拡大図である。図４に示されるように、送風機吹出口２１の端面２２は、吹出口引き出し側端面２２ａ、２つの吹出口側部端面２２ｂ、２２ｃ、及び吹出口押し込み側端面２２ｄの４部分により構成されている。吹出口引き出し側端面２２ａは、送風機吹出口２１のうち筐体５０の前面側に位置する。吹出口引き出し側端面２２ａは、送風機吹出口２１の端面２２を構成する他の端面に対し上方に位置する。また、ダクト１５の接続開口部１６の端面１７は、接続開口部引き出し側端面１７ａ、接続開口部側部端面１７ｂ、１７ｃ、及び接続開口部押し込み側端面１７ｄの４部分により構成されている。接続開口部引き出し側端面１７ａは、ダクト１５の接続開口部１６の端面１７のうち筐体５０の前面側に位置する端面である。接続開口部引き出し側端面１７ａは、接続開口部１６の端面１７を構成する他の端面に対し上方に位置する。
【００１７】
接続開口部引き出し側端面１７ａは、吹出口押し込み側端面２２ｄ及び吹出口側部端面２２ｂ、２２ｃよりも上方に位置する。従って、送風機台２が筐体５０内に押し込まれる際に、吹出口押し込み側端面２２ｄ及び吹出口側部端面２２ｂ、２２ｃが接続開口部引き出し側端面１７ａと当たることがない。よって、送風機２０は、送風機台２と共に筐体５０の内部に押し込むことができる。そして、送風機吹出口２１は、接続開口部１６の内側に収まる。そして、ファンケース１３とダクト１５とが接続され、ファン１４から筐体５０の天面パネル８に形成された開口９までの風路が形成される。
【００１８】
接続開口部側部端面１７ｂ、１７ｃは、送風機２０が引き出される方向に沿って配置されている端面であり、筐体５０の前面から向かって左右の２箇所に位置する端面である。吹出口側部端面２２ｂ、２２ｃは、送風機２０が引き出される方向に沿って配置されている端面であり、筐体５０の前面から向かって左右の２箇所に位置する端面である。接続開口部側部端面１７ｂ、１７ｃは、吹出口側部端面２２ｂ、２２ｃよりも下方に位置する。また、接続開口部押し込み側端面１７ｄは、吹出口押し込み側端面２２ｄよりも下方に位置する。つまり、送風機吹出口２１は、ダクト１５の接続開口部１６の内側に前方から収まる。そして、接続開口部１６のうち、左右の側面を構成する側面部材１８ｂ、１８ｃが、送風機吹出口２１のうち左右の側面を構成する側面部材２３ｂ、２３ｃの外側に重なる様に位置している。また、接続開口部１６のうち、送風機２０を押し込む側の面を構成する側面部材１８ｄが、送風機２０を押し込む側の面を構成する側面部材２３ｄの外側に重なる様に位置している。なお、送風機吹出口２１うち側面を構成する側面部材２３ｂ、２３ｃと送風機２０を押し込む側の面を構成する側面部材２３ｄとには、それぞれの側面部材２３ｂ、２３ｃ、２３ｄの外側の面にシール部材３０ｂ、３０ｃ、３０ｄが設置されている。そして、シール部材３０ｂ、３０ｃは、送風機吹出口２１の側面部材２３ｂ、２３ｃと接続開口部１６の側面部材１８ｂ、１８ｃとの間に生じる隙間を塞いでいる。また、シール部材３０ｄは、送風機吹出口２１の押し込み側の側面部材２３ｄと接続開口部１６の押し込み側の側面部材１８ｄとの間に生じる隙間を塞いでいる。
【００１９】
吹出口引き出し側端面２２ａは、接続開口部引き出し側端面１７ａに対し上方に位置する。このように構成されることにより、送風機台２が筐体５０内に押し込まれると、送風機吹出口２１の送風機２０を引き出す側の側面を構成する側面部材２３ａは、接続開口部１６の引き出し側の側面を構成する側面部材１８ａに当接する。接続開口部１６の引き出し側の側面部材１８ａには、シール部材３０ａが設置されている。従って、送風機吹出口２１の引き出し側の側面部材２３ａは、シール部材３０ａに当接し、更に圧縮する。これにより、シール部材３０ａは、送風機吹出口２１の引き出し側の側面部材２３ａと接続開口部１６の引き出し側の側面部材２３ａとの間に生じる隙間を塞いでいる。
【００２０】
図６は、図５の送風機吹出口２１と接続開口部１６との接続部分の水平方向断面を示す模式図である。図６の（ａ）〜（ｃ）は、図５のＡ−Ａ断面において、送風機吹出口２１が接続開口部１６に収まる過程を示した図である。図６に示されるように、送風機吹出口２１の側面部材２３ｂ、２３ｃ及び接続開口部１６の側面部材１８ｂ、１８ｃは、送風機２０が引き出される側に向かって広がるテーパー形状を構成している。そして、送風機吹出口２１の側面部材２３ｂと接続開口部１６の側面部材１８ｂとが平行になっており、送風機吹出口２１の側面部材２３ｃと接続開口部１６の側面部材１８ｃとが平行になっている。送風機吹出口２１の側面部材２３ｂにはシール部材３０ｂが、側面部材２３ｃにはシール部材３０ｃが貼り付けられており、図６（ａ）及び（ｂ）に示されているように、送風機２０が筐体５０内に十分に押し込まれていない状態においては、シール部材３０ｂ、３０ｃは、接続開口部１６の側面部材１８ｂ、１８ｃに接触していない。よって、シール部材３０ｂ、３０ｃが、送風機２０が押し込まれるのを阻害することがない。また、送風機２０の押し込みにより、シール部材３０ｂ、３０ｃが側面部材２３ｂ、２３ｃから外れるのを抑制することができる。さらに、送風機２０を筐体５０内から引き出す場合においても、シール部材３０ｂ、３０ｃが送風機２０が引き出される動きを阻害することがない。
【００２１】
図６（ｃ）に示されるように、送風機２０が筐体５０内に十分に押し込まれると、シール部材３０ａ〜３０ｄがそれぞれ圧縮される状態になる。この状態では、送風機吹出口２１と接続開口部１６との間に生じる隙間は、シール部材３０ａ〜３０ｄにより塞がれる。よって、ファン１４からダクト１５を通って開口９から筐体５０外へ吹き出される空気が、筐体５０内に漏れるのを抑制することができる。
【００２２】
図６（ｃ）に示されるようにシール部材３０ａ〜３０ｄを圧縮した状態で、送風機２０は、固定される。例えば、送風機台２が所定の位置まで押し込まれた状態で送風機台２を前後方向に動かないように固定することにより、送風機２０の送風機吹出口２１が、図６（ｃ）に示される状態で固定される。または、図６（ｃ）に示される状態で、送風機吹出口２１と接続開口部１６とが外れないように、ネジなどの固定手段により固定しても良い。
【００２３】
図５に示されるように、接続開口部１６の接続開口部側部端面１７ｂ、１７ｃ、及び接続開口部押し込み側端面１７ｄは、送風機２０側に向かって、つまり下方に向かって広がるようにテーパー形状になっている。また、送風機吹出口２１の吹出口引き出し側端面２２ａは、ダクト１５側に向かって、つまり上方に向かって広がるようにテーパー形状になっている。このように構成されているため、実施の形態１に係る空気調和装置の室内機１００の組立時において、送風機２０を筐体５０の内部に位置させつつ、ダクト１５を上方から組み立てることができる。接続開口部１６の接続開口部側部端面１７ｂ、１７ｃ、接続開口部押し込み側端面１７ｄが下方に向かって広がる斜面を備えており、かつ送風機吹出口２１の吹出口引き出し側端面２２ａが上方に向かって広がる斜面を備えている。そのため、ダクト１５を送風機吹出口２１に上から組み合わせても、シール部材３０ａ〜３０ｄは、斜面に案内され、接続開口部１６の側面部材１８ａ〜１８ｄと送風機吹出口２１の側面部材２３ａ〜２３ｄとの間に収まり、圧縮することができる。また、空気調和装置の室内機１００の組立時において、ダクト１５の組立作業の際に送風機台２を引き出した状態にする必要がなく、組立時の作業数を減らすことができる。なお、接続開口部１６の接続開口部側部端面１７ｂ、１７ｃ、接続開口部押し込み側端面１７ｄ、及び吹出口引き出し側端面２２ａのテーパー形状の外側の端部は、シール部材３０ａ〜３０ｄの外側の端部よりも外側に位置するように構成する。
【００２４】
＜実施の形態１の効果＞
（１）実施の形態１に係る空気調和装置の室内機１００は、上部に開口９が設けられた筐体５０と、筐体５０の内部に設置された送風機２０及び熱交換器１１と、送風機２０と開口９とを連結するダクト１５と、を備える。送風機２０は、吸入した空気を吹き出す送風機吹出口２１を有し、筐体５０の外部に引き出し自在に設置される。ダクト１５は、送風機吹出口２１と接続する接続開口部１６を有する。送風機吹出口２１と接続開口部１６との間には、隙間を塞ぐシール部材３０ａ〜３０ｄを有する。このように構成されることにより、空気調和装置の室内機１００は、開口９が設置されている天面パネル８から下方に離れた位置に送風機２０を引き出し自在に設置しながら、ダクト１５と送風機２０とが分割する部分の隙間を塞ぐことができる。そのため、空気調和装置の室内機１００は、ファン１４からの吹出風がダクト１５と送風機２０との接続部で筐体５０の内部に漏れない構造を実現し、かつ送風機２０のメンテナンスの作業性を向上させることができる。
【００２５】
（２）実施の形態１に係る空気調和装置の室内機１００においては、送風機吹出口２１及び接続開口部１６は、送風機２０が筐体５０から引き出される方向に向かって広がるテーパー形状に形成され、送風機吹出口２１は、接続開口部１６の内側に収まり、接続開口部１６と接続される。
このように構成されることにより、引き出し自在に構成されている送風機２０が、筐体５０から出し入れされても、シール部材３０ｂ、３０ｃは、接続開口部１６の側面部材１８ｂ、１８ｃと送風機吹出口２１の側面部材２３ｂ、２３ｃとの間を塞ぐことができる。また、シール部材３０ｂ、３０ｃは、送風機２０の出し入れの動作を阻害することがない。さらに、送風機２０の出し入れ作業によりシール部材３０ｂ、３０ｃが所定の位置から外れたり、シール部材３０ｂ、３０ｃの破損等の不具合を抑制することができる。従って、空気調和装置の室内機１００に対しメンテナンス作業等を行い送風機２０を筐体５０から出し入れしても、ダクト１５と送風機２０との接続部の隙間は、確実に塞がれる。
【００２６】
（３）実施の形態１に係る空気調和装置の室内機１００においては、接続開口部１６の端面１７は、筐体５０の内部に送風機２０が押し込まれる方向を向いた側に位置する接続開口部押し込み側端面１７ｄと、筐体５０から送風機２０が引き出される方向を向いた側に位置する接続開口部引き出し側端面１７ａと、送風機２０が筐体５０から引き出される方向に沿った２つの接続開口部側部端面１７ｂ、１７ｃと、を備える。送風機吹出口２１の端面２２は、筐体５０の内部に送風機２０が押し込まれる方向を向いた側に位置する吹出口押し込み側端面２２ｄと、筐体５０から送風機２０が引き出される方向を向いた側に位置する吹出口引き出し側端面２２ａと、送風機２０が筐体５０から引き出される方向に沿った２つの吹出口側部端面２２ｂ、２２ｃと、を備える。接続開口部引き出し側端面１７ａは、吹出口押し込み側端面２２ｄ及び吹出口側部端面２２ｂ、２２ｃよりも上方に位置し、吹出口引き出し側端面２２ａよりも下方に位置する。接続開口部押し込み側端面１７ｄ及び接続開口部側部端面１７ｂ、１７ｃは、吹出口押し込み側端面２２ｄ及び吹出口側部端面２２ｂ、２２ｃよりも下方に位置する。
このように構成されることにより、送風機吹出口２１は、接続開口部１６に接触することなく接続開口部１６内に出し入れ自在で、かつシール部材３０ａ〜３０ｄにより送風機吹出口２１と接続開口部１６との間の隙間を塞ぐことができる。
【００２７】
（４）実施の形態１に係る空気調和装置の室内機１００においては、接続開口部押し込み側端面１７ｄ及び接続開口部側部端面１７ｂ、１７ｃは、筐体５０の下方に向かって広がるテーパー面である。
（５）実施の形態１に係る空気調和装置の室内機１００は、吹出口引き出し側端面２２ａは、筐体５０の上方に向かって広がるテーパー面である。
このように構成されることにより、空気調和装置の室内機１００の組立時において、送風機２０を筐体５０の内部に位置させつつ、ダクト１５を上方から組み立てることができる。シール部材３０ａ〜３０ｄは、テーパー形状に案内され、接続開口部１６の側面部材１８ａ〜１８ｄと送風機吹出口２１の側面部材２３ａ〜２３ｄとの間に収まり、圧縮された状態にすることができる。空気調和装置の室内機１００の組立時において、ダクト１５の組立作業の際に送風機台２を引き出した状態にする必要がなく、組立時の作業数を減らすことができる。
【００２８】
実施の形態２．
実施の形態２に係る空気調和装置の室内機２００は、実施の形態１に係る空気調和装置の室内機１００に対し、送風機吹出口２１とダクト１５の接続開口部１６との接続部の構造を変更したものである。以下、実施の形態２について、実施の形態１からの変更点を中心に説明する。実施の形態２で特に記述しない項目については実施の形態１と同様とし、同一の機能や構成については同一の符号を用いて述べることとする。
【００２９】
実施の形態２．
図７は、本発明の実施の形態２に係る空気調和装置の室内機２００のダクト２１５及び送風機２２０の垂直方向断面を表した説明図である。図７（ａ）は、送風機２２０が筐体５０から引き出された状態を示し、図７（ｂ）は、送風機２２０が筐体５０の内部に収められた状態を示している。図８は、本発明の実施の形態２に係る空気調和装置の室内機２００のダクト２１５を筐体５０の前面側から見た図である。ダクト２１５には、接続部材２４０が取り付けられている。接続部材２４０は、ダクト２１５の接続開口部２１６の端面２１７の下方に突出して設けられており、上下方向に所定の範囲だけ移動自在に取り付けられている。実施の形態２において、接続部材２４０は、シール部材２３０の上下の面に設けられた粘着材によりダクト２１５の下部に吊り下げられており、シール部材２３０の弾性によって上下方向に移動できるように設置されているが、その他の手段により設置されていても良い。例えば、接続部材２４０に設けられたフックがダクト２１５に設けられた凹み部に係止する等の手段を用いて、接続部材２４０をダクト２１５に設置しても良い。
【００３０】
接続部材２４０は、ダクト２１５側を向いた側にシール部材設置面２４３を有しており、そこにシール部材２３０が設置されている。シール部材設置面２４３は、接続開口部２１６の端面２１７に沿うように全周に設けられている。また、シール部材設置面２１８の内側は開口されており、送風機吹出口２２１がダクト２１５と接続されたときに空気が通過するように構成されている。
【００３１】
接続部材２４０の下面は接続面２１９となっており、送風機２２０がダクト２１５と接続されたときに送風機吹出口２２１の端面と接する。図７（ｂ）に示されるように、接続部材２４０は、送風機吹出口２２１の端面２２２によって、接続面２１９を下側から支持され、接続開口部２１６の端面２１７側に押し付けられる。シール部材２３０は、接続部材２４０が上方に押し上げられることにより、接続開口部２１６の端面２１７とシール部材設置面２１８との間で圧縮され、隙間を塞ぐ。
【００３２】
筐体５０から送風機２０が引き出された状態において、接続部材２４０は、送風機吹出口２２１側に向かって突出する案内部２４１を有する。案内部２４１の先端２４４は、送風機吹出口２２１の端面２２２よりも上方にあり、送風機２０が筐体５０内に押し込まれる際に案内部２４１の斜面部２４５に送風機吹出口２２１の端面２２２が当接する。つまり、送風機２２０が引き出されている状態においては、送風機吹出口２２１の端面２２２は、案内部２４１の先端２４４と接続部材２４０の接続面２４２との間に位置するように構成されている。斜面部２４５に送風機吹出口２２１の端面２２２が当接すると、接続部材２４０は、送風機２２０が筐体５０内に押し込まれるに従って上方に押し上げられることになる。斜面部２４５と接続面２４２とは連続して接続されており、斜面部２４５に当接した送風機吹出口２２１の端面２２２は、送風機２２０が押し込まれるに従い斜面部２４５に沿って進み、最終的に接続面２４２に当接する。送風機吹出口２２１の吹出口押し込み側端面２２２ｄが接続部材２４０の接続面２４２に接すると、接続面２４２が送風機吹出口２２１の端面２２２に倣うように接続部材２４０が上方に押し上げられる。なお、案内部２４１は、送風機吹出口２２１の吹出口押し込み側端面２２２ｄから接続開口部２１６側に突出するように設けられても良い。その場合、上下方向において、案内部２４１の先端２４４と送風機吹出口２２１の端面２２２との間に接続面２４２が配置されるように構成する。
【００３３】
図９は、実施の形態２の変形例に係る空気調和装置の室内機２０１のダクト２１５及び送風機２２０の垂直方向断面を表した説明図である。接続部材２４０は、送風機吹出口２２１に上下移動自在に設置されていても良い。この場合、接続部材２４０は、接続面２４２を上方に向け、案内部２４１をダクト２１５側に向けて突出させて設置される。送風機２２０が筐体５０の内部に押し込められると、案内部２４１の斜面部２４５に接続開口部２１６の引き出し側端面２１７ａが当接し、接続部材２４０は、送風機２２０が筐体５０内に押し込まれるに従って下方に押し下げられることになる。なお、案内部２４１は、接続開口部２１６の引き出し側端面２１７ａから接続開口部２１６側に突出するように設けられても良い。その場合、上下方向において案内部２４１の先端２４４と送風機吹出口２２１の端面２２２との間に接続面２４２が配置されるように構成する。
【００３４】
＜実施の形態２の効果＞
（６）実施の形態２に係る空気調和装置の室内機２００、２０１においては、接続開口部２１６及び送風機吹出口２２１のうち一方に上下方向に移動自在に設置された接続部材２４０を更に備える。接続部材２４０は、接続開口部２１６及び送風機吹出口２２１のうち他方の端面と接触する接続面２４２とを備える。
このように構成されることにより、実施の形態２に係る空気調和装置の室内機２００、２０１は、上記（１）と同じ効果を得られる。
【００３５】
（７）実施の形態２に係る空気調和装置の室内機２００、２０１においては、接続部材２４０は、筐体５０から送風機２２０が引き出された状態において、接続開口部２１６及び送風機吹出口２２１のうち他方に向かって突出する案内部２４１を備える。接続開口部２１６の端面２１７及び送風機吹出口２２１のうち他方の端面は、筐体５０の上下方向において、接続面２４２と案内部２４１の先端２４４との間に位置する。接続面２４２と案内部２４１とは、連続して接続した面を形成する。
（８）実施の形態２に係る空気調和装置の室内機２００、２０１においては、接続開口部２１６及び送風機吹出口２２１のうち他方は、接続開口部２１６及び送風機吹出口２２１のうち一方に向かって突出する案内部２４１を備える。接続面２４２は、案内部２４１の先端２４４と接続開口部２１６及び送風機吹出口２２１のうち他方の端面との間に位置する。接続開口部２１６及び送風機吹出口２２１のうち他方の端面と案内部２４１とは、連続して接続した面を形成する。
このように構成されることにより、送風機２２０を押し込むに従い接続部材２４０が移動し、送風機２２０を筐体５０内に押し込む動きが阻害されない。
【００３６】
（９）実施の形態２に係る空気調和装置の室内機２００においては、シール部材２３０は、接続部材２４０において接続面２４２の裏側にあるシール部材設置面２４３に位置する。送風機２２０が筐体５０内部に押し込まれた状態において、圧縮され接続部材２４０と接続開口部２１６の端面２１７及び送風機吹出口２２１の端面２２２のうちの他方との間の隙間を塞ぐ。
このように構成されることにより、接続部材２４０は、シール部材２３０が圧縮可能な量だけ上下に動くことができる。そして、送風機２２０が押し込まれた際にシール部材２３０は圧縮され、接続部材２４０と接続開口部２１６の端面２１７又は送風機吹出口２２１の端面２２２との間の隙間を塞ぎ、ファン１４からの吹出風がダクト１５と送風機２０との接続部で筐体５０の内部に漏れない構造を実現できる。
【符号の説明】
【００３７】
２  送風機台、３  支柱、４  ドレンパン、５  台枠、６  右側面パネル、７  左側面パネル、８  天面パネル、９  開口、１０  背面パネル、１１  熱交換器、１２  モータ、１３  ファンケース、１４  ファン、１５  ダクト、１６  接続開口部、１７  端面、１７ａ  接続開口部引き出し側端面、１７ｂ  接続開口部側部端面、１７ｃ  接続開口部側部端面、１７ｄ  接続開口部押し込み側端面、１８ａ  側面部材、１８ｂ  側面部材、１８ｃ  側面部材、１８ｄ  側面部材、２０  送風機、２１  送風機吹出口、２２  端面、２２ａ  吹出口引き出し側端面、２２ｂ  吹出口側部端面、２２ｃ  吹出口側部端面、２２ｄ  吹出口押し込み側端面、２３ａ  側面部材、２３ｂ  側面部材、２３ｃ  側面部材、２３ｄ  側面部材、３０ａ  シール部材、３０ｂ  シール部材、３０ｃ  シール部材、３０ｄ  シール部材、５０  筐体、１００  室内機、２００  室内機、２０１  室内機、２１５  ダクト、２１６  接続開口部、２１７  端面、２１７ａ  引き出し側端面、２１８  シール部材設置面、２１９  接続面、２２０  送風機、２２１  送風機吹出口、２２２  端面、２２２ｄ  吹出口押し込み側端面、２３０  シール部材、２４０  接続部材、２４１  案内部、２４２  接続面、２４３  シール部材設置面、２４４  先端、２４５  斜面部。
【図１】
0006785938.tif 000002
【図２】
0006785938.tif 000003
【図３】
0006785938.tif 000004
【図４】
0006785938.tif 000005
【図５】
0006785938.tif 000006
【図６】
0006785938.tif 000007
【図７】
0006785938.tif 000008
【図８】
0006785938.tif 000009
【図９】
0006785938.tif 000010